【手続補正書】
【提出日】平成20年2月12日(2008.2.12)
【手続補正１】
【補正対象書類名】明細書
【補正対象項目名】特許請求の範囲
【補正方法】変更
【補正の内容】
【特許請求の範囲】
【請求項１】  可鋳性セメント系組成物を変性させる少なくとも１種の混和剤、多数の繊維、乾燥した水和性セメント系結合剤材料またはこれらの混合物を含有して成る組成物を封じ込めている塩基性媒体可溶な重合体包装材を含んで成る包装組成物であって、前記重合体包装材が、構造式
【化１】
2003531043.tif 000001
［式中、Ｒ1は、Ｈ、ＣＨ3またはＣ2Ｈ5を表し、そしてＲ2は、ＣＨ3、Ｃ2Ｈ5、Ｃ3Ｈ7またはＣ4Ｈ9を表す］
で表されるエステル単量体と構造式
【化２】
2003531043.tif 000002
［式中、Ｒ3は、Ｈ、ＣＨ3またはＣ2Ｈ5を表す］
で表される酸単量体を含有して成る単量体混合物の反応によって生じた共重合体から形成されたフィルムまたは被膜を含んで成り、それによって、前記フィルムまたは被膜が可鋳性セメント系組成物に溶解しかつ前記封じ込められている組成物を前記包装材から放出させるに有効である包装組成物。
【請求項２】  前記重合体包装フィルム又は被膜がアクリル酸エチルとメタアクリル酸の共重合体を含んで成る請求項１記載の包装組成物。
【請求項３】  前記重合体材料フィルム又は被膜が熱可塑性である請求項１記載の包装組成物。
【請求項４】  前記包装材がバッグ、箱、管、封筒、カプセル、パウチ、周辺包装、ボトル、円柱形状から成る群から選択される形状を有する請求項１記載の包装組成物。
【請求項５】  乾燥した水和性セメント系粉末がポートランドセメント、石膏、石灰石、シリカフューム、ファーネススラグ、ポゾランおよびフライアッシュから選択される請求項１記載の包装組成物。
【請求項６】  前記重合体包装により封入される組成物が減水剤、超可塑剤、空気連行剤、空気連行減水剤、超空気連行減水剤、空気吐き出し剤、硬化促進剤、硬化遅延剤、分離低下剤、錆抑制剤、腐食抑制剤、膨張剤、重合体混合剤、収縮減少剤、着色剤、界面活性剤、透過率低下剤から選択される少くとも１種の混和材を含んで成る請求項１記載の包装組成物。
【請求項７】  重合体包装材に含まれる組成物が多数の繊維を含んで成る請求項１記載の包装組成物。
【請求項８】  セメント系組成物の形成または変性方法であって、請求項１記載の包装組成物を水和性セメント系組成物に導入することを含んで成る方法。
【請求項９】  前記キャスタブルセメント系組成物が既に混合されたコンクリートである請求項８記載の方法。
【請求項１０】  前記包装により封じ込められた組成物が少なくとも１種の湿った混和材と少なくとも１種の乾燥した混和材を含んでなる請求項１記載の包装組成物。
【手続補正２】
【補正対象書類名】明細書
【補正対象項目名】００５３
【補正方法】変更
【補正の内容】
【００５３】
本発明で用いることを意図する包装材は熱可塑性であり得ることから、典型的なさらなる材料、例えば可塑剤、例えば有機エステル、フタル酸エステル、フタル酸ジイソブチル、フタル酸ジイソデシル（ＤＩＤＰ）などを添加することも可能であると考えている。この包装材にまた他の任意材料、例えば強化剤（ｓｔｒｅｎｇｔｈｅｎｅｒｓ）、例えばタルク、炭酸カルシウムおよび粘土などをこの包装材の全重量を基準にして１０−２０重量％以下の量で含有させることも可能である。
本発明の好適な実施の態様は次のとおりである。
１．  可鋳性セメント系組成物を形成または変性するに有効な少なくとも１種の物質とこの少なくとも１種の物質を入れるに適した包装材を含んで成る包装系であって、前記包装材が前記少なくとも１種の物質を包装するに有効でありかつ前記少なくとも１種の物質をミキサーの中に導入することを可能にしかつ前記包装材によって前記ミキサーの中に導入された前記物質によって製造または変性された可鋳性セメント系組成物に溶解するが水に不溶で塩基性媒体に可溶な重合体材料を含んで成る一体式部材を有する包装系。
２．  前記一体式包装部材の前記重合体材料がエステルと酸を含んで成る単量体混合物から調製され、前記エステル単量体が構造式
【化１】
2003531043.tif 000003
［式中、Ｒ1は、Ｈ、ＣＨ3またはＣ2Ｈ5を表し、そしてＲ2は、ＣＨ3、Ｃ2Ｈ5、Ｃ3Ｈ7またはＣ4Ｈ9を表す］
で表され、前記酸単量体が構造式
【化２】
2003531043.tif 000004
［式中、Ｒ3は、Ｈ、ＣＨ3またはＣ2Ｈ5を表す］
で表される上記１記載の包装系。
３．  前記エステルと前記酸が１：１から２０：１の比率で用いられる上記２記載の包装系。
４．  前記エステルと前記酸が３：１から４：１の比率で用いられる上記３記載の包装系。
５．  前記一体式部材を含んでいる前記包装用重合体材料が更に少なくとも１種の充填材も含んで成る上記１記載の包装系。
６．  前記包装用重合体材料が更に可塑剤も含んで成る上記１記載の包装系。
７．  前記重合体材料がアクリル酸エチルとメタアクリル酸の共重合体を含んで成る上記１記載の包装系。
８．  前記重合体材料が熱可塑性である上記１記載の包装系。
９．  前記包装材がバッグ、箱、管、封筒、カプセル、パウチ、周辺包装、ボトル、円柱形状から成る群から選択される形状を有する上記１記載の包装系。
１０．  前記塩基性媒体に可溶な包装材に含まれる前記少なくとも１種の物質がポートランドセメント、石膏、石灰石、シリカフューム、ファーネススラグ、ポゾランおよびフライアッシュから選択されるセメント系材料を含んで成る上記１記載の包装系。
１１．  前記塩基性媒体に可溶な包装材に含まれる前記少なくとも１種の物質が減水剤、超可塑剤、空気連行剤、空気連行減水剤、超空気連行減水剤、空気吐き出し剤、硬化促進剤、硬化遅延剤、分離低下剤、錆抑制剤、腐食抑制剤、膨張剤、重合体混合剤、収縮減少剤、着色剤、界面活性剤、透過率低下剤、多数の繊維、またはこれらの混合物を包含する添加剤または混和剤を含んで成る上記１記載の包装系。
１２．  前記塩基性媒体に可溶な包装材に含まれる前記少なくとも１種の物質が多数の繊維を含んで成る上記１記載の包装系。
１３．  前記塩基性媒体に可溶な包装材がバッグの形状を有しそして前記包装材が多数の繊維が含んでいる上記１記載の包装系。
１４．  前記塩基性媒体に可溶な包装材に他の少なくとも１種の添加剤もしくは混和剤を可鋳性セメント系組成物の中に導入するに有効な他の包装材を少なくとも１個含んでいる上記１記載の包装系。
１５．  前記塩基性媒体に可溶な包装材が箱の形状になっていてこの箱が少なくとも１種の他の塩基性媒体に可溶な包装材を含んでいる上記１記載の包装系。
１６．  前記箱が塩基性媒体に可溶な包装材を多数含んでいてこれらの各々に多数の繊維、混和材またはこれらの組み合わせが含まれている上記１記載の包装系。
１７．  前記塩基性媒体に可溶な包装材が魚雷の形状を有する上記１記載の包装系。
１８．  前記物質が多数の繊維を含んで成っていてこれらが前記包装系の中に密に詰め込まれた一般に整列した状態で含まれている上記１記載の包装系。
１９．  前記包装材が多数の繊維、少なくとも１種の混和材またはこれらの組み合わせを包含する乾燥した物質と流動性物質の両方を含んでいる上記１記載の包装系。
２０．  前記包装材が少なくとも１種の流動性混和材を含んでおりそして前記包装材がボトルの形状を有する上記１記載の包装系。
２１．  前記ボトルが開口部を有していてこれが熱で密封されている上記２０記載の包装系。
２２．  セメント系組成物の形成または変性方法であって、上記１記載の包装系をセメント系組成物に導入することを含んで成る方法。
２３．  前記組成物が既に混合されたコンクリートである上記２２記載の方法。
２４．  前記組成物が吹き付けコンクリートである上記２２記載の方法。
２５．  少なくとも１種の湿った混和材と少なくとも１種の乾燥した混和材を含んでなる上記１記載の包装系。
２６．  前記少なくとも１種の他の包装材が異なる厚みを有する材料を含んで成る上記１４記載の包装系。
２７．  繊維、超可塑剤および空気連行剤を含んでなる上記１記載の包装系。
２８．  前記超可塑剤および前記空気連行剤が乾燥した形態である上記２７記載の包装系。
２９．  可鋳性セメント系組成物の製造方法であって、上記１記載の包装系に含まれる物質をミキサーの中に導入することを含んで成る方法。
３０．  前記物質がセメント系組成物である上記２９記載の方法。
３１．  更に多数の繊維、混和材またはこれらの混合物を包含してなる上記３０記載の方法。
３２．  前記物質がセメント、微細骨材、粗骨材、シリカフューム、フライアッシュ、繊維、充填材および混和材から選択される材料である上記２９記載の方法。
３３．  前記包装系が前記物質の少なくとも２種類を含んでなる上記３２記載の方法。
３４．  前記物質が乾燥したセメントと少なくとも１種の骨材を含んで成る上記２９記載の方法。
３５．  前記包装材がセメント系結合剤、少なくとも１種の骨材、そして混和材および多数の繊維から選択される少なくとも１種の他の物質を含んでいる上記２９記載の方法。